【手続補正書】
【提出日】平成17年10月17日(2005.10.17)
【手続補正１】
【補正対象書類名】明細書
【補正対象項目名】全文
【補正方法】変更
【補正の内容】
【書類名】          明細書
【発明の名称】    電線保持具とそれを用いた電線保持方法および電機制御装置
【特許請求の範囲】
【請求項１】  複数本の電線を保持する電線保持具において、
弾力性を有する樹脂で構成されるとともに、Ｃ字形状をした複数個の電線保持部を備え、かつ、前記電線保持部における電線の円周を覆う割合が５０％を越え７０％以下であることを特徴とする電線保持具。
【請求項２】  前記電線保持部の外側に突起を設けたことを特徴とする請求項１に記載の電線保持具。
【請求項３】  前記電線保持部の内側に突起を設けたことを特徴とする請求項１または２に記載の電線保持具。
【請求項４】  前記電線保持部の外側に外部固定部を設けたことを特徴とする請求項１から３のいずれかの項に記載の電線保持具。
【請求項５】  制御盤内のプリント基板上で複数本の電線を保持する電線保持方法において、
弾力性を有する樹脂でＣ字形に複数個形成され、かつ、電線の円周を覆う割合が５０％を越え７０％以下である電線保持具の電線挿入用の開口部を弾性変形させて電線を挿入するとともに、前記電線の導体端部を前記プリント基板の電線挿入穴に挿入固定しつつ、前記電線保持具をプリント基板上に配設することを特徴とする電線保持方法。
【請求項６】  電線を配設したプリント基板を内蔵する電気制御装置において、請求項１から４のいずれかの項に記載の電線保持具を備えたことを特徴とする電気制御装置。
【発明の詳細な説明】
【０００１】
【発明の属する技術分野】
本発明は、制御盤内のプリント基板上で複数本の電線を保持する電線保持具と、これを用いた電線保持方法および電機制御装置に関するものである。
【０００２】
【従来の技術】
例えば、電気制御装置に内蔵するプリント基板上に複数本の電線を実装する場合、従来は、図８および図９に示すように、それぞれの電線１の両端の被覆を剥がして、プリント基板２に形成している電線挿入穴３に挿入して、この両端２カ所で支持するようにしている。この場合、プリント基板２からの高さ位置は、電線の被覆で決めている。
【０００３】
【発明が解決しようとする課題】
しかしながら、このような従来技術においては、次のような問題があった。
(1) 被覆を剥いだ電線１両端の導体の外径寸法と前記プリン基板２の電線挿入穴３の内径寸法との間に差があるため、また、電線１が立体的に曲がっているために、プリント基板２上に実装した電線１は、プリント基板２上で傾いてしまいやすく安定しない。そのため、電線１は１本づつ実装と同時に半田付け作業をしなければならず、作業が非常に面倒である。
(2) プリント基板２からの高さ位置を、電線１の被覆で決めているので、電線１両端部の被覆剥ぎ作業に高い寸法精度が必要となり、作業効率が悪いだけでなく、電線１の高さ精度が安定しにくい。
本発明は、このような問題を解消するためになされたもので、プリント基板に実装する電線を安定させることができるとともに、作業効率を高めることができる電線保持具と、この電線保持具を用いた電線保持方法および電機制御装置を提供することを目的とするものである。
【０００４】
【課題を解決するための手段】
上記問題を解決するため、本発明は、複数本の電線を保持する電線保持具において、弾力性を有する樹脂からなるとともに、電線の円周を覆う割合が５０％を越え７０％以下であるＣ字形状をした複数個の電線保持部を備えて電線保持具を構成し、プリント基板に固定するとともに、前記電線保持具の電線挿入用の開口部を弾性変形させて電線を挿入し、保持するようにしたものである。
【０００５】
【発明の実施の形態】
以下、本発明の実施例を図に基づいて説明する。
［第１の実施例］
図１は本発明の第１の実施例における電線保持具を示す図で、（ａ）は側面図、（ｂ）は底面図である。
図において、４は例えばナイロンなどのような弾力性を有する樹脂からなる電線保持具、５はＣ字形状をした電線保持部で、複数個形成している。前記電線保持部における電線の円周を覆う割合は、５０％を越え７０％以下に設定している。６は電線挿入用の開口部、７は前記電線保持部２の外側に設けた先端が平坦な電線保持具安定用の突起、８は前記電線保持部２の内側に設けた滑り止め用の突起である。
以下、このような構成の電線保持具を用いて、プリント基板上に複数本の電線を保持する保持方法を、図２によって説明する。
まず、電線保持具４の電線挿入用の開口部６を弾性変形させて複数本の電線１を挿入する。この場合、電線保持部４の内側には突起８が形成されているので、突起８が電線１の外表面に食い込み、電線１は強固に保持されるとともに、滑り止めがなされる。
次に、電線保持具４の電線保持部５に挿入したままの状態で、複数本の電線１の端部導体１ａをプリント基板２の電線挿入穴３に挿入する。複数本の電線１は、電線保持具４でまとめられており、かつ電線保持具４はプリント基板上で安定しているので、電線の実装と半田付け作業を分離することができる。したがって、半田付け作業を１度で終わらせることができ、作業効率を大きく向上させることができる。
なお、電線保持具４は平坦に形成した突起７をプリント基板２に接触させて安定させるようにしているが、プリント基板２に電線保持具挿入穴を形成し、前記電線保持具挿入穴に前記突起７を挿入するようにすれば、さらに安定するとともに、位置決めも行うことができる。
電線１の数が電線保持具４の保持可能電線本数よりも多い場合は、図３に示すようにようにすれば簡単に行うことができる。すなわち、プリント基板２と接する電線保持具４に保持された電線１の内最上部の電線に他の電線保持具４ａの最下段の電線保持部を保持させ、前記最下段の電線保持部より上部の電線保持部で、他の電線１を保持するようにする。このようにすることにより、１種類の電線保持具２で多くの電線を保持することができる。
［第２の実施例］
図４は、本発明の第２の実施例における電線保持具を示す図で、（ａ）は側面図、（ｂ）は底面図である。
前記第１の実施例では、片側のみに電線保持部５を形成しているが、連結部５ａを設けて両側に電線保持部５を形成するようにしてもよい。このようにすると、多くの電線を狭いスペースの中で安定して、かつ、短時間で実装することができる。
［第３の実施例］
図５は本発明の第３の実施例における電線保持具を示す図で、（ａ）は側面図、（ｂ）は正面図である。図６は図５の電線保持具の外部固定部を９０度に折り曲げ成形した形状の電線保持具を示す図で、（ａ）は側面図、（ｂ）は底面図である。
前記第１および第２の実施例では電線保持具はプリント基板等に強固に固定するようにはしていないが、プリント基板等に強固に固定するようにしてもよい。この場合は、図５および図６に示す電線保持具４を用いるようにする。この電線保持具４は、前記電線保持部５の外側に取付穴９を有する外部固定部１０を設けて、前記外部固定部１０にねじやバンド等のファスナを用いてプリント基板や外部固定部に固定する。このようにすることにより、電線保持具４を、プリント基板や外部固定部等に、強固に固定するとともに、精度よく位置決めさせることができる。
【０００６】
【発明の効果】
以上述べたように、本発明によれば次のような効果がある。
(1) 電気制御装置に内蔵されているプリント基板に実装した電線は、プリント基板との距離を確保することができるとともに、傾きが抑えられ安定する。
(2) 電線の実装と半田付け作業を分離することができるので、半田付け作業を１度で終えることができる。したがって、作業効率が大きく向上する。
【図面の簡単な説明】
【図１】  本発明の第１の実施例における電線保持具を示す図で、（ａ）は側面図、（ｂ）は底面図である。
【図２】  図１の電線保持具を用いて電線を保持した第１の例を示す図で、（ａ）は平面図、（ｂ）は側面図である。
【図３】  図１の電線保持具を用いて電線を保持した第２の例を示す側面図である。
【図４】  本発明の第２の実施例における電線保持具を示す図で、（ａ）は側面図、（ｂ）は底面図である。
【図５】  本発明の第３の実施例における電線保持具を示す図で、（ａ）は側面図、（ｂ）は正面図である。
【図６】  図５の電線保持具の外部固定部を９０度に折り曲げ成形した形状の電線保持具を示す図で、（ａ）は側面図、（ｂ）は底面図である。
【図７】  従来技術における電線保持具を示す図で、（ａ）は側面図、（ｂ）は平面図である。
【符号の説明】
１    電線、
２    プリント基板、
３    電線挿入穴、
４    電線保持具、
５    電線保持部、
６    開口部、
７    突起、
８    突起、
９    取付穴、
１０  外部固定部